(57)【要約】【課題】  画像全体の構図と顔の映りを容易に確認することができる情報処理装置を提供する。【解決手段】  パーソナルコンピュータ１２で写真撮影システム用プログラム４３が起動され、撮影工程に移行すると、ＣＰＵ４０には、顔抽出回路４８が生成される。顔抽出回路４８は、デジタルカメラ１０から送信される圧縮画像データをＲＡＭ４４から読み出して、圧縮画像データ内の人物の顔を抽出する。また、撮影工程に移行すると、モニタ１３には、圧縮画像データで表される画像の全体（全体画像）６３と、顔抽出回路４８で抽出した顔の画像（顔画像）６４とが撮影ウィンドウ６０上に表示される。【選択図】        図５
2006180403.tif 000002
【特許請求の範囲】
【請求項１】
撮影により得られた画像データを取り込んで、前記画像データで表される画像を表示するとともに、前記画像のプリント注文を受け付ける情報処理装置において、
前記画像データ内の人物の顔を抽出する顔抽出手段と、
前記顔抽出手段で抽出した顔の画像を、前記画像の全体と同一画面上に表示させる表示制御手段とを備えたことを特徴とする情報処理装置。
【請求項２】
前記顔抽出手段は、画像処理および圧縮処理が施された圧縮画像データを用いて前記抽出を行うことを特徴とする請求項１に記載の情報処理装置。
【請求項３】
前記表示制御手段は、前記顔抽出手段で顔が抽出されなかった場合、前記顔の画像の代わりに前記画像の中央部分を表示させることを特徴とする請求項１または２に記載の情報処理装置。
【請求項４】
前記顔抽出手段で複数の顔が抽出された場合、前記顔の画像として表示する顔を選択させる選択手段を設けたことを特徴とする請求項１ないし３のいずれかに記載の情報処理装置。
【発明の詳細な説明】
【技術分野】
【０００１】
本発明は、記念写真や商品の撮影を専門に行う写真スタジオに設置される写真撮影システムに用いられる情報処理装置に関する。
【背景技術】
【０００２】
最近、記念写真や商品の撮影を専門に行う写真スタジオに、デジタルカメラで撮影した画像をパーソナルコンピュータのモニタ上に表示し、その場で画像のプリント注文を受け付けることができるようにした写真撮影システムが導入されている（特許文献１参照）。
【特許文献１】特開２００２−１３９８０５号公報
【発明の開示】
【発明が解決しようとする課題】
【０００３】
上記のような写真撮影システムの顧客が、記念写真のプリント注文を行う際に最も留意する点として、画像全体の構図と顔の映りが挙げられる。また、写真スタジオのカメラマンにとっても、撮影を続行するか否かを判断するために、画像全体の構図と顔の映りを常に確認する必要がある。しかしながら、特許文献１に記載の技術では、単に撮影した画像全体をモニタに表示するのみで、顔の映りを即座に確認することができない。
【０００４】
本発明は、上記課題を鑑みてなされたものであり、画像全体の構図と顔の映りを容易に確認することができる情報処理装置を提供することを目的とする。
【課題を解決するための手段】
【０００５】
上記目的を達成するために、本発明は、撮影により得られた画像データを取り込んで、前記画像データで表される画像を表示するとともに、前記画像のプリント注文を受け付ける情報処理装置において、前記画像データ内の人物の顔を抽出する顔抽出手段と、前記顔抽出手段で抽出した顔の画像を、前記画像の全体と同一画面上に表示させる表示制御手段とを備えたことを特徴とする。
【０００６】
なお、前記顔抽出手段は、画像処理および圧縮処理が施された圧縮画像データを用いて前記抽出を行うことが好ましい。
【０００７】
また、前記表示制御手段は、前記顔抽出手段で顔が抽出されなかった場合、前記顔の画像の代わりに前記画像の中央部分を表示させることが好ましい。
【０００８】
さらに、前記顔抽出手段で複数の顔が抽出された場合、前記顔の画像として表示する顔を選択させる選択手段を設けることが好ましい。
【発明の効果】
【０００９】
本発明の情報処理装置によれば、画像データ内の人物の顔を抽出する顔抽出手段と、顔抽出手段で抽出した顔の画像を、画像の全体と同一画面上に表示させる表示制御手段とを備えたので、画像全体の構図と顔の映りを容易に確認することができる。したがって、写真撮影システムの利便性を向上させることができる。
【発明を実施するための最良の形態】
【００１０】
図１において、写真撮影システム２は、婚礼や七五三などの記念撮影や商品撮影を専門に取り扱う写真スタジオに設置され、デジタルカメラ１０で撮影して得られた画像データ、あるいは、メモリカードやＣＤ−Ｒなどの記録媒体１１に記録された画像データ（写真フイルムをＴＩＦＦまたはＪＰＥＧ形式でデジタイズしたものも含む）をパーソナルコンピュータ（以下、ＰＣと略す）１２に取り込み、画像をＰＣ１２のモニタ１３上に表示して画像のプリント注文を受け付け、写真スタジオに備え付けのプリンタ１４や、プリントラボ１５に設置された業務用プリンタ１６で、注文内容に応じたプリントを作成するものである。
【００１１】
デジタルカメラ１０、プリンタ１４、および業務用プリンタ１６は、例えば、ＩＥＥＥ１３９４、ＵＳＢ（Universal Serial Bus）などに準拠した通信ケーブルや、無線ＬＡＮなどによりＰＣ１２に接続され、ＰＣ１２とのデータの相互通信が可能となっている。また、記録媒体１１も同様に、専用のドライバを介してＰＣ１２とのデータの遣り取りが可能となっている。
【００１２】
デジタルカメラ１０の内部構成を示す図２において、ＣＰＵ２０は、データバス２１を介して各部に接続され、デジタルカメラ１０全体の動作を統括的に制御する。ＲＯＭ２２には、デジタルカメラ１０を動作させるための各種プログラムやデータが記憶されている。ＣＰＵ２０は、これらのプログラムやデータをＲＯＭ２２から作業用メモリであるＲＡＭ２３に読み出して、各種処理を実行する。また、ＣＰＵ２０は、シャッタレリーズを行わせるためのレリーズボタンや、絞り、シャッタ速度、ズーム倍率、撮影感度などを設定するための各種設定ボタンで構成される操作部２４からの入力を受けて、デジタルカメラ１０の各部を動作させる。
【００１３】
撮像部２５は、周知の撮像レンズやＣＣＤを備え、被写体の光学像を光電変換してデジタルの画像データを出力する。撮像部２５から出力された画像データは、ＲＡＭ２３に一旦格納される。この画像データは、ホワイトバランス処理などの画像処理が施されていない原画像データ（ＲＡＷデータ）であり、例えば、ＲＧＢの色毎に１２ビットで表現される階調値を持った多数の画素データから構成される。
【００１４】
画像処理回路２６は、ＲＡＭ２３から原画像データを読み出して、ＲＧＢの色毎の階調値を８ビットに縮小するとともに、ホワイトバランス処理や階調変換処理などの適当な画像処理を施す。
【００１５】
圧縮・伸長処理回路２７は、画像処理回路２６で画像処理が施された画像データに対して、ＪＰＥＧで定められたフォーマットに従って圧縮処理を施し、圧縮画像データを出力する。また、画像処理済みの画像データに間引き演算を施すことで、例えば、１２８０×９６０ピクセルのＪＰＥＧ画像データ（サムネイル画像データ）を出力する。圧縮・伸長処理回路２７で圧縮処理された画像データは、メディアコントローラ２８を経由してメモリカード２９に記録される。
【００１６】
ＬＣＤ３０は、ＬＣＤドライバ３１の制御の下に、被写体像のスルー画像を表示するとともに、撮影した画像を再生表示する。通信Ｉ／Ｆ３２は、撮像部２５から出力された原画像データ、圧縮・伸長処理回路２７から出力された圧縮画像データおよびサムネイル画像データを、前述の通信ケーブルや無線ＬＡＮを介してＰＣ１２に送信する。
【００１７】
ＰＣ１２の内部構成を示す図３において、ＣＰＵ４０は、データバス４１を介して各部に接続され、ＰＣ１２全体の動作を統括的に制御する。ハードディスクドライブ（ＨＤＤ）４２には、ＰＣ１２を動作させるための各種プログラムやデータの他に、写真撮影システム用プログラム（以下、単にプログラムという）４３が記憶されている。なお、ＨＤＤ４２に記憶されるデータには、デジタルカメラ１０から送信された画像データや、この画像データと関連付けて記憶され、後述する顧客の個人情報やプリント注文の内容などの顧客管理データがある。
【００１８】
プログラム４３は、デジタルカメラ１０による撮影から、記録媒体１１からの画像データの取り込み、顧客へのプレゼンテーションおよびプリント注文する画像の選択、トリミングや色調整などの検定、プリント注文、発注、照合までの工程を、ＰＣ１２で一括して処理することができるようにしたものであり、ＣＤ−ＲＯＭ、ＤＶＤ−ＲＯＭなどの記録媒体からＨＤＤ４２にインストールされる。
【００１９】
ＣＰＵ４０は、プログラムやデータをＨＤＤ４２から作業用メモリであるＲＡＭ４４に読み出して、各種処理を実行する。また、ＣＰＵ４０は、キーボードやマウスからなる操作部４５からの入力を受けて、ＰＣ１２の各部を動作させる。
【００２０】
モニタ１３は、モニタドライバ４６の制御の下に、後述する顧客管理ウィンドウ５０（図４参照）や、撮影ウィンドウ６０（図５および図６参照）を表示する。通信Ｉ／Ｆ４７は、デジタルカメラ１０や記録媒体１１から送信される画像データの受信とともに、プリンタ１４や業務用プリンタ１６へのプリント指令の送信を媒介する。
【００２１】
操作部４５が操作されてプログラム４３が起動されると、モニタ１３には、図４に示す顧客管理ウィンドウ５０が表示される。顧客管理ウィンドウ５０は、操作部４５からの操作入力により、新規顧客の登録や登録内容の修正、削除、顧客の検索などを行うためのもので、写真撮影システム２の顧客の個人情報（オーダーＩＤ、受付ＩＤ、氏名、電話番号）とともに、撮影日時、撮影内容（婚礼、七五三、赤ちゃんなど）、工程の進行状況などが一覧５１として表示される。また、顧客管理ウィンドウ５０の上部には、対象となっている顧客の情報５２が表示される。対象となっている顧客は、一覧５１上でカーソル５３（図中ハッチングで示す）により他の顧客と区別される。
【００２２】
顧客管理ウィンドウ５０の下部には、各工程に移行するためのボタン群（「撮影」、「取り込み」、「選択」、「注文」、「合成」、「検定」、「ラボ発注」、「自家処理」、および「照合」ボタン）５４が配されており、操作部４５のマウスのポインタ５５を、これらのボタン群５４のいずれかに合わせてクリックすることで、対応する工程に移行するとともに、各工程用のウィンドウに表示が切り替わる。
【００２３】
「撮影」ボタンが選択されると、デジタルカメラ１０による被写体の撮影を補助する撮影工程に移行する。図３に示すように、撮影工程に移行すると、ＣＰＵ４０には、顔抽出回路４８が生成される。顔抽出回路４８は、通信Ｉ／Ｆ４７を介してデジタルカメラ１０から送信される圧縮画像データをＨＤＤ４２から読み出して、圧縮画像データ内の人物の顔を抽出する。具体的には、画像データで表される各画素の階調色から、画像の肌色部分を抽出し、この肌色部分の面積が予め設定された閾値以上であった場合に、その肌色部分を人物の顔として抽出する。あるいは、周知のパターン認識技術を用いて、目や口などの顔の特定部分を抽出することで行う。
【００２４】
また、撮影工程に移行すると、モニタ１３には、図５に示す撮影ウィンドウ６０が表示される。撮影ウィンドウ６０には、撮影感度や絞り値などのデジタルカメラ１０の各種パラメータ情報６１や、撮影済みのサムネイル画像の一覧６２などとともに、圧縮画像データで表される画像の全体（以下、全体画像という）６３と、顔抽出回路４８で抽出した顔の画像（以下、顔画像という）６４とが表示される。
【００２５】
顔画像６４で表示される顔の選択は、顔画像６４として表示させたい顔に、ポインタ５５を合わせてクリックすることで行われる。一方、商品撮影などで人物が介在しない撮影を行っていて、顔抽出回路４８で顔が抽出されなかった場合、図６に示すように、モニタ１３には、顔画像６４の代わりに画像の中央部分（以下、中央画像という）６５が表示される。なお、顔抽出回路４８で複数の顔が抽出された場合に、撮影ウィンドウ６０に最初に表示する顔画像６４としては、例えば、顔抽出回路４８で抽出した顔部分のサイズが最も大きいものが選択される。
【００２６】
図４に戻って、「取り込み」ボタンが選択されると、記録媒体１１から画像データを取り込む取り込み工程に移行する。「選択」ボタンが選択されると、画像をモニタ１３にプレビュー表示し、プリント注文をする画像を顧客に選択させる選択工程に移行する。
【００２７】
「注文」ボタンが選択されると、選択工程で選択された画像のプリントサイズ、プリント枚数などを入力する注文工程に移行する。「合成」ボタンが選択されると、選択工程で選択された画像を規定のレイアウト枠に配置して、オリジナルのフォトアルバムを作成する合成工程に移行する。「検定」ボタンが選択されると、写真撮影システム２が設置された写真スタジオで推奨する仕上がりとなるように、画像データに色補正や階調補正を施す検定工程に移行する。
【００２８】
「ラボ発注」ボタンが選択されると、注文工程で設定されたプリントサイズおよびプリント枚数にて、選択工程で選択された画像のプリント注文をプリントラボ１５の業務用プリンタ１６に発注するラボ発注工程に移行する。「自家処理」ボタンが選択されると、プリント注文をプリンタ１４に発注する自家処理工程に移行する。「照合」ボタンが選択されると、プリントラボ１５の業務用プリンタ１６に発注したプリントが写真スタジオに納品されたときに、プリントの内容確認・照合を行うためのインデックスプリントを作成する照合工程に移行する。
【００２９】
次に、上記構成を有する写真撮影システム２の処理手順について、図７のフローチャートを参照して説明する。まず、ＰＣ１２とデジタルカメラ１０、プリンタ１４、および業務用プリンタ１６とを相互通信可能なように接続し、写真撮影システム２を構築する。
【００３０】
次いで、操作部４５を操作してプログラム４３を起動し、モニタ１３に顧客管理ウィンドウ５０を表示させる。顧客管理ウィンドウ５０では、新規顧客の登録や登録内容の修正、削除、顧客の検索などが行われる。
【００３１】
図７に示すように、「撮影」ボタンが選択されて撮影工程に移行すると、ＣＰＵ４０に顔抽出回路４８が生成される。デジタルカメラ１０による撮影が開始されると、原画像データ、圧縮画像データ、およびサムネイル画像データが、通信Ｉ／Ｆ４７を経由してＨＤＤ４２に記憶される。顔抽出回路４８では、圧縮画像データがＨＤＤ４２から読み出され、圧縮画像データ内の人物の顔が抽出される。
【００３２】
顔抽出回路４８で顔が抽出された場合、モニタ１３の撮影ウィンドウ６０には、全体画像６３とともに顔画像６４が表示される。顔抽出回路４８で複数の顔が抽出され、ポインタ５５により顔が選択された場合は、選択された顔の顔画像６４に表示が切り替わる。一方、顔抽出回路４８で顔が抽出されなかった場合は、顔画像６４の代わりに中央画像６５が表示される。
【００３３】
取り込み工程では、記録媒体１１からの画像データの取り込みが行われる。選択工程では、画像がモニタ１３にプレビュー表示され、プリント注文をする画像の選択が行われる。
【００３４】
注文工程では、選択工程で選択された画像のプリントサイズ、プリント枚数などの入力が行われる。合成工程では、オリジナルのフォトアルバムの作成が行われる。検定工程では、写真撮影システム２が設置された写真スタジオで推奨する仕上がりとなるような色補正や階調補正が行われる。
【００３５】
ラボ発注工程では、注文工程で設定されたプリントサイズおよびプリント枚数にて、プリントラボ１５の業務用プリンタ１６へのプリント注文の発注が行われる。自家処理工程では、プリンタ１４へのプリント注文の発注が行われる。照合工程では、プリントラボ１５の業務用プリンタ１６に発注したプリントが写真スタジオに納品されたときに、プリントの内容確認・照合を行うためのインデックスプリントの作成が行われる。
【００３６】
プリンタ１４、または業務用プリンタ１６では、ＰＣ１２からのプリント指令を受けて、プリント注文に応じたプリント処理が行われる。
【００３７】
以上説明したように、デジタルカメラ１０で撮影した画像データ内の人物の顔を顔抽出回路４８で抽出し、抽出した顔画像６４を全体画像６３と同一画面上に表示させるので、画像全体の構図と顔の映りを容易に確認することができる。したがって、写真撮影システムの利便性を向上させることができる。また、データ量の多い原画像データではなく、データ量の比較的少ない圧縮画像データを用いて顔の検出を行うので、処理を高速化させることができる。
【００３８】
なお、操作の簡便化を図るために、モニタ１３をタッチパネルで構成し、モニタ１３の画面に顧客が指を接触させることで、各種選択操作を行わせるようにしてもよい。
【００３９】
また、顔画像６４および中央画像６５の表示サイズに特に規定はないが、全体画像６３の表示サイズとのバランスや視認性などを考慮して決定することが好ましい。
【００４０】
上記実施形態では、撮影工程のときにのみ全体画像６３とともに顔画像６４を表示させるようにしたが、取り込み工程や選択工程など、他の工程で顔画像６４を表示させてもよい。
【図面の簡単な説明】
【００４１】
【図１】写真撮影システムの構成を示す概略図である。
【図２】デジタルカメラの内部構成を示すブロック図である。
【図３】パーソナルコンピュータの内部構成を示すブロック図である。
【図４】顧客管理ウィンドウを示す説明図である。
【図５】顔が抽出された場合の撮影ウィンドウを示す説明図である。
【図６】顔が抽出されなかった場合の撮影ウィンドウを示す説明図である。
【図７】写真撮影システムの撮影工程における処理手順を示すフローチャートである。
【符号の説明】
【００４２】
２  写真撮影システム
１０  デジタルカメラ
１２  パーソナルコンピュータ（ＰＣ、情報処理装置）
１３  モニタ
２０  ＣＰＵ
２５  撮像部
２７  圧縮・伸長処理回路
４０  ＣＰＵ
４３  写真撮影システム用プログラム（プログラム）
４６  モニタドライバ
４８  顔抽出回路
５０  顧客管理ウィンドウ
６０  撮影ウィンドウ
６３  全体画像
６４  顔画像
６５  中央画像
【図１】
2006180403.tif 000003
【図２】
2006180403.tif 000004
【図３】
2006180403.tif 000005
【図４】
2006180403.tif 000006
【図５】
2006180403.tif 000007
【図６】
2006180403.tif 000008
【図７】
2006180403.tif 000009